(57)【要約】【課題】  信号ラインとグランドラインとの間に設けられるバイパス回路であって、当該バイパス回路を構成する各トランジスタの電圧分担を均等とし、且つ、信号ラインの信号レベルを低下させることのないバイパス回路の提供。【解決手段】  バイパス回路２３を構成するトランジスタ２３１（信号ライン２０側に設けられるトランジスタ）のコレクタ・エミッタ間にコンデンサ２３３を並列に接続することにより、Ａ間におけるインピーダンスとＢ間におけるインピーダンスの均衡を図る。【選択図】  図１
2006092588.tif 000002
【特許請求の範囲】
【請求項１】
第１のトランジスタと第２のトランジスタとが互いに逆極性に直列に接続されて構成され、信号ラインとグランドとの間に設けられるバイパス回路であって、前記第１のトランジスタと前記第２のトランジスタのうち、信号ライン側に設けられるトランジスタのコレクタとエミッタの間にコンデンサを接続したことを特徴とするバイパス回路。
【請求項２】
磁気記録媒体への情報の記録及び再生を行う磁気ヘッドを備える磁気媒体記録再生装置であって、前記磁気ヘッドに接続される信号ラインと、グランドと、の間に請求項１記載のバイパス回路を備えたことを特徴とする磁気媒体記録再生装置。
【発明の詳細な説明】
【技術分野】
【０００１】
本発明は、信号ラインとグランドとの間に設けられるバイパス回路に関するものであり、特に、当該バイパス回路を構成する各トランジスタの電圧分担を均等にさせたバイパス回路に関する。
【背景技術】
【０００２】
例えば、ＶＣＲ等に備えられる音声信号の記録／再生を行う磁気ヘッド（記録用と再生用のヘッドを兼用しているもの）への音声信号の入出力が行われる信号ラインには、記録時に記録信号（音声信号）を重畳させるバイアス信号を発生させる交流バイアス回路が接続されており、且つ、再生時には磁気ヘッドの巻線の片側をグランドするバイパス回路（ミューティング回路などとも呼ばれる）が設けられている。当該バイパス回路は、コスト上の理由などにより、トランジスタを用いて構成されるのが一般的であり、当該バイパス回路に関する従来技術が、特許文献１〜特許文献５などによって開示されている。
【０００３】
【特許文献１】実開平５−２４４０号公報
【特許文献２】特開平６−１４５５１号公報
【特許文献３】特開平７−２４０６３２号公報
【特許文献４】特開平１０−７５１６３号公報
【特許文献５】特開２００１−２１６６０６号公報
【発明の開示】
【発明が解決しようとする課題】
【０００４】
図４に、従来のＶＣＲ等に備えられる音声信号の記録／再生を行う磁気ヘッド部分の回路の一例の概略を示した。記録動作時には、トランジスタ１７をオフとし且つスイッチ１２３をオフすることで、増幅回路１２２を介して入力される音声信号を、交流バイアス回路１５が発生する交流バイアス信号に重畳して磁気ヘッド１１に送ることにより、記録動作が行われる。このように記録動作時には、バイアス信号を印加する必要があるため、バイパス回路４０はオフとされている（トランジスタ１７がオフとされることにより、トランジスタ４０１及びトランジスタ４０２もオフとされる）。一方、再生動作時には、バイパス回路４０をオンとし（トランジスタ１７がオンとされることにより、トランジスタ４０１及びトランジスタ４０２もオンとされる）、スイッチ１２３をオンとすることで、磁気ヘッド１１から得られる信号を、増幅回路１２１を介して出力する。このように、バイパス回路４０は、再生動作時に、磁気ヘッド１１の巻線の片側（信号ライン２０）をグランドに接続させるものであり、記録動作時には、当該バイパス回路４０に交流バイアス回路１５が発生する電圧が印加されることとなる（なお、再生動作時には、交流バイアス回路１５への電源供給が停止され、発振動作が停止している。）。
【０００５】
交流バイアス回路１５によってバイパス回路４０に印加される電圧が高い場合、バイパス回路４０を構成するトランジスタ４０１及びトランジスタ４０２には漏れ電流が流れるが、トランジスタのコレクタ、エミッタ、ベースの各端子間及び各端子間を流れる電流の方向によりそれぞれインピーダンスが異なるため、交流バイアス回路１５によって印加される電圧は、トランジスタ４０１とトランジスタ４０２とで均等に分担されない。すなわち、図５ａに示すように、バイパス回路４０がオフである際の漏れ電流Ｉは、信号ライン２０側が基準電位（グランド）より高電位である場合、コレクタからベースよりもコレクタからエミッタへのインピーダンスの方が低く、且つ、エミッタからコレクタよりもエミッタからベースへのインピーダンスの方が低いため、トランジスタ４０１のコレクタからエミッタへ、そしてトランジスタ４０２のエミッタからベースへと流れる（図５ａのＩ）が、トランジスタ４０１のコレクタ・エミッタ間のインピーダンスが、トランジスタ４０２のエミッタ・ベース間のインピーダンスよりも大きいため、図５ａのＣにおける電圧降下がＤにおける電圧降下より大きくなってしまうのである。従って、トランジスタ４０１には、耐圧の大きなトランジスタを使用する必要があった。
【０００６】
これに対し、特許文献２に記載の従来技術では、直列に接続されたトランジスタの電圧分担を均等にさせるものが開示されているが、例えば、これを直接バイパス回路４０（トランジスタ４０１とトランジスタ４０２とが直列に接続される部分）に適用させた場合（図５ｂ）、両トランジスタの電圧分担は均等となるが、信号ライン２０とグランドとの間が、コンデンサ５１とコンデンサ５２との直列回路によって接続されることとなり、当該直列回路により交流バイアス信号がグランドされてしまうため、交流バイアス回路１５の本来の発振レベルが信号ライン２０において得られなくなるという問題があった。
【０００７】
本発明は、上記した点に鑑み、信号ラインとグランドラインとの間に設けられるバイパス回路であって、当該バイパス回路を構成する各トランジスタの電圧分担を均等とし、且つ、信号ラインの信号レベルを低下させることのないバイパス回路を提供することを目的とする。
【課題を解決するための手段】
【０００８】
請求項１のバイパス回路は、第１のトランジスタと第２のトランジスタとが互いに逆極性に直列に接続されて構成され、信号ラインとグランドとの間に設けられるバイパス回路であって、前記第１のトランジスタと前記第２のトランジスタのうち、信号ライン側に設けられるトランジスタのコレクタとエミッタの間にコンデンサを接続したことを特徴とする。
【０００９】
上記構成によれば、信号ライン側に設けられるトランジスタの、コレクタ・エミッタ間にコンデンサが接続されるため、当該トランジスタのコレクタ・エミッタ間におけるインピーダンスが低くなる。
【００１０】
請求項２の磁気媒体記録再生装置は、磁気記録媒体への情報の記録及び再生を行う磁気ヘッドを備える磁気媒体記録再生装置であって、前記磁気ヘッドに接続される信号ラインと、グランドと、の間に請求項１記載のバイパス回路を備えたことを特徴とする。
【発明の効果】
【００１１】
請求項１の、第１のトランジスタと第２のトランジスタとが互いに逆極性に直列に接続されて構成され、信号ラインとグランドとの間に設けられるバイパス回路であって、前記第１のトランジスタと前記第２のトランジスタのうち、信号ライン側に設けられるトランジスタのコレクタとエミッタの間にコンデンサを接続したことを特徴とするバイパス回路によれば、信号ライン側に設けられるトランジスタのコレクタ・エミッタ間におけるインピーダンスを低くすることができるため、バイパス回路に印加される電圧を第１のトランジスタと第２のトランジスタとで均等に分担させることが可能となる。従って、信号ライン側に設けられるトランジスタに耐圧の高い（価格が高い）ものを用いる必要が無くなり、回路のコストを低減させることができる。さらに、上記構成によれば、バイパス回路オフ時にも、信号ラインに流れる信号の基準電位（グランド）に対するレベルが低下することが無い。
【発明を実施するための最良の形態】
【００１２】
以下、本発明の具体的実施例について、図面を参照しながら説明する。なお、以下の実施態様は、本発明を具体化する際の一形態であって、本発明をその範囲内に限定するためのものではない。
【００１３】
図１は本実施例のバイパス回路が備えられる磁気ヘッド部分の回路の概略を示す回路図であり、図２は当該バイパス回路を有するビデオカセットレコーダの天板を外した状態を示す斜視図である。図４は従来のバイパス回路が備えられる磁気ヘッド部分の回路の一例を示す図である。なお、本発明と従来例とで同一となる構成要素については同一の符号を使用している。
【００１４】
図１に示されるように、磁気ヘッド１１には信号ライン２０上の抵抗１６を介して交流バイアス回路１５が接続され、交流バイアス回路１５の他端は基準電位（グランド）に接続される。また、磁気ヘッド１１の他端は信号ライン２１を介してＩＣ１２に接続されることで、ＩＣ１２内の、記録用の音声信号を増幅して入力する増幅回路１２２と、再生時の音声信号を増幅して出力する増幅回路１２１と、に接続される。さらに、信号ライン２０とグランドとの間にはバイパス回路２３が接続される。
【００１５】
バイパス回路２３は、トランジスタ２３１のエミッタとトランジスタ２３２のエミッタとが接続され、且つ、トランジスタ２３１のコレクタとエミッタの間にコンデンサ２３３が並列に接続されることにより構成される。また、トランジスタ２３１及びトランジスタ２３２のベースは、それぞれ抵抗１８・１９を介してトランジスタ１７のコレクタに接続され、トランジスタ１７のエミッタには５Ｖの定電圧源が接続される。バイパス回路２３は、トランジスタ２３１のコレクタが信号ライン２０に接続され、トランジスタ２３２のコレクタが基準電位（グランド）に接続されることにより、信号ライン２０とグランドとの間に接続される。このような構成により、トランジスタ１７のオン／オフ（トランジスタ１７のベースに入力される制御信号）によってバイパス回路２３（トランジスタ２３１及びトランジスタ２３２）がオン／オフされ、従って、バイパス回路２３がオンの時には信号ライン２０は基準電位とされる。
【００１６】
ビデオカセットレコーダ（以下単にＶＣＲ）１の、磁気記録媒体であるビデオカセットテープ１３への音声信号の記録及び再生時の、磁気ヘッド部分の回路の動作の概略を、図１を参照しつつ説明する。記録動作時には、トランジスタ１７をオフとし（バイパス回路２３がオフとなる）、且つスイッチ１２３をオフすることで、増幅回路１２２を介して入力される音声信号を、交流バイアス回路１５が発生する交流バイアス信号に重畳して磁気ヘッド１１に送ることにより、記録動作が行われる。一方、再生動作時には、バイパス回路２３をオン（トランジスタ１７をオン）とすることで磁気ヘッド１１の巻線の片側（信号ライン２０）をグランドし、スイッチ１２３をオンとすることで、磁気ヘッド１１から得られる信号を、増幅回路１２１を介して出力する（なお、再生動作時には、交流バイアス回路１５への電源供給が停止され、発振動作が停止している。）。このように、磁気ヘッド１１及びこれに接続される信号ライン２０は、記録／再生用を兼用しており、当該記録／再生の兼用を可能とするために、バイパス回路２３が、磁気ヘッド１１に接続される信号ライン２０とグランドの間に設けられている。
【００１７】
記録時には、バイパス回路はオフとされるが、前述のごとく、従来のバイパス回路４０（図４）では、交流バイアス回路１５の電圧が高い場合には、バイパス回路４０を構成するトランジスタ４０１及びトランジスタ４０２に漏れ電流Ｉが流れ（図５ａ）、各トランジスタの漏れ電流経路におけるインピーダンスが異なるため、図５ａ中のＣにおける電圧降下と、Ｄにおける電圧降下の大きさが異なる（信号ライン２０側に設けられるトランジスタ４０１に印加される電圧が高い）ものとなっており、トランジスタ４０１には耐圧の高いトランジスタを使用する必要があった。これに対し、本実施例のバイパス回路２３では、トランジスタ２３１のコレクタ・エミッタ間にコンデンサ２３３が並列に接続されているため、図１中のＡ間におけるインピーダンスを低下させることができ、図１中のＢ間におけるインピーダンスとのバランスを取ることができる。従って、本実施例のバイパス回路２３によれば、トランジスタ２３１とトランジスタ２３２とに印加される電圧をほぼ均等にすることが可能となり、一方のトランジスタ（トランジスタ２３１）に耐圧の高いものを使用する必要がなくなるのである。
【００１８】
図６には、従来のバイパス回路４０におけるバイパス動作オフ時の各トランジスタに生じる電圧波形の実測値の一例として、交流バイアス回路１５の発振電圧の周波数が７０ｋＨｚであり振幅が８０Ｖｐ−ｐである場合（図６ａ）の、トランジスタ４０１のコレクタ・エミッタ間（図５ａ中のＣ）に生じる電圧波形（図６ｂ）と、トランジスタ４０２のエミッタ・コレクタ間（図５ａ中のＤ）に生じる電圧波形（図６ｃ）と、を示した。図に示されるようにトランジスタ４０１には７６Ｖの振幅の発振電圧が印加されており、従って、トランジスタ４０１には耐圧が８０Ｖのトランジスタを用いる必要があるため、当該バイパス回路４０のコスト高、延いては当該バイパス回路４０を備える装置のコスト高につながるものであった。一方、図３には、本実施例のバイパス回路２３における各トランジスタに生じる電圧波形の実測値の一例を示した。図３ｂが、トランジスタ２３１のコレクタ・エミッタ間（図１中のＡ）に生じる電圧波形であり、図３ｃが、トランジスタ２３２のエミッタ・コレクタ間（図１中のＢ）に生じる電圧波形である。交流バイアス回路１５の発振電圧の、周波数は７０ｋＨｚ、振幅は８０Ｖｐ−ｐ（図３ａ）であり、コンデンサ２３３には容量が１５ｐＦのものを用いている。図からも明らかなように、トランジスタ２３１とトランジスタ２３２とに印加される電圧の均等化がなされており、トランジスタ２３１とトランジスタ２３２の双方に５０Ｖ耐圧の（安価な）トランジスタを使用することができる。このように本実施例のバイパス回路２３によれば、コンデンサ２３３を追加するという簡単且つ安価な回路構成により、回路全体（装置）としてのコストの削減が図られるのである。
【００１９】
なお、上記実測値は、あくまで実施例の１つを示したものであり、「トランジスタ２３１のコレクタ・エミッタ間に接続するコンデンサ２３３に１５ｐＦの容量のものを用いることが最適である」ということを示しているものではなく、コンデンサ２３３には、交流バイアス回路１５の発振周波数や、トランジスタ２３３及びトランジスタ２３２のインピーダンス等を考慮した上で、Ａ間とＢ間のインピーダンスの均衡が図れるような容量のコンデンサが使用される。
【図面の簡単な説明】
【００２０】
【図１】磁気ヘッド部分の回路の概略を示す回路図
【図２】ビデオカセットレコーダの天板を外した状態を示す斜視図
【図３】電圧波形の一例を示す図であり、ａ：交流バイアス回路の電圧波形、ｂ：トランジスタ２３１のコレクタ・エミッタ間の電圧波形、ｃ：トランジスタ２３２のエミッタ・コレクタ間の電圧波形
【図４】従来の磁気ヘッド部分の回路の概略を示す回路図
【図５】従来の磁気ヘッド部分の回路の動作状態を説明する回路図
【図６】従来の回路に生じる電圧波形の一例を示す図であり、ａ：交流バイアス回路の電圧波形、ｂ：トランジスタ４０１のコレクタ・エミッタ間の電圧波形、ｃ：トランジスタ４０２のエミッタ・コレクタ間の電圧波形
【符号の説明】
【００２１】
１      ビデオカセットレコーダ（磁気媒体記録再生装置）
１１    磁気ヘッド
１３    ビデオカセットテープ（磁気記録媒体）
１５    交流バイアス回路
２０    信号ライン
２３    バイパス回路
２３１・２３２  トランジスタ
２３３  コンデンサ
【図１】
2006092588.tif 000003
【図２】
2006092588.tif 000004
【図３】
2006092588.tif 000005
【図４】
2006092588.tif 000006
【図５】
2006092588.tif 000007
【図６】
2006092588.tif 000008